(57)【特許請求の範囲】
【請求項１】
雲丹を浸漬する浸漬水を収容しうる透明な容器本体(1) と、該容器本体(1) に開閉自在に取り付けられる蓋体(7) と、前記浸漬水を水切りすることができ且つ雲丹が抜け出ることのない径の小孔(16)を有する水切り用中仕切具(15)とからなり、前記蓋体(7) を容器本体(1) から取り外し、該容器本体(1) を前記水切り用中仕切具(15)とともに反転させて該水切り用中仕切具(15)を介して浸漬水を排出する際に、浸漬水に浸漬されていた雲丹が前記水切り用中仕切具(15)に載置されるよう構成してなることを特徴とする雲丹収容用容器。
【請求項２】
水切り用中仕切具(15)が皿状に形成されている請求項１記載の雲丹収容用容器。
【請求項３】
水切り用中仕切具(15)が容器状に形成され、開口部分が下向きとなるように容器本体(1) 内に設置されている請求項１記載の雲丹収容用容器。
【請求項４】
蓋体(7) が容器本体(1) に密封シール状態で取り付けられている請求項１乃至３のいずれかに記載の雲丹収容用容器。
【発明の詳細な説明】
【０００１】
【発明の属する技術分野】
本発明は、雲丹収容用の容器、さらに詳しくは、海水のような浸漬水とともに雲丹を収容しうる、雲丹収容のための専用容器に関する。
【０００２】
【従来の技術】
一般に、雲丹が店頭等で販売される場合には、木製の底浅な皿状の容器に設置されている。
【０００３】
このような木製の皿状容器に設置されているのは、雲丹自体が柔らかく破損し易いので、破損させずに雲丹としての商品価値を維持するためには上記のような木製の皿状容器が最も適していること、魚介類の中でも高級品に属する雲丹の商品としての高級感を維持すること、及び柔らかい雲丹の性状と形態に最も適した形状であること等がその理由と考えられる。
【０００４】
【発明が解決しようとする課題】
しかし、柔らかく破損し易い卵巣の部分が食用にされるという特殊性のため、上記のような容器に変わる代替品としての容器がほとんど使用されていないのが現状である。
【０００５】
本発明は、このような点に鑑み、単に雲丹を設置するのみならず、雲丹を浸漬する浸漬水に浸漬した状態で収容するという全く斬新な雲丹収容用容器を提供することを課題とする。
【０００６】
【課題を解決するための手段】
本発明は、このような課題を解決せんとしてなされたもので、その課題を解決するための手段は、雲丹を浸漬する浸漬水を収容しうる透明な容器本体１と、該容器本体１に開閉自在に取り付けられる蓋体２と、前記浸漬水を水切りすることができ且つ雲丹が抜け出ることのない径の小孔を有する水切り用中仕切具３とからなり、前記蓋体２を容器本体１から取り外し、該容器本体１を前記水切り用中仕切具３とともに反転させて該水切り用中仕切具３を介して浸漬水を排出する際に、浸漬水に浸漬されていた雲丹が前記水切り用中仕切具３に載置されるよう構成してなることである。
【０００７】
このような構成からなる雲丹収容用の容器は、容器本体１内に雲丹を浸漬する浸漬水を収容し、その浸漬水に雲丹を浸漬させた状態で前記容器本体１に蓋体２を閉塞状態で取り付けて使用される。
【０００８】
一方、容器内から雲丹を取り出す場合には、蓋体２を取り外して容器本体１を開いた状態とし、容器本体１を水切り用中仕切具３とともに反転させる。
【０００９】
これによって、容器本体１内の浸漬水は、水切り用中仕切具３の小孔を介して下部に流出されるが、その小孔は雲丹が抜け出ることのない径に形成されているため、雲丹は落下することなく、反転された水切り用中仕切具３に載置されることとなる。
【００１０】
この結果、水切りがなされることになるとともに、雲丹は水切り用中仕切具３に載置されることになるので、結果的に浸漬水が収容された容器からの雲丹の取り出しがなされることとなる。
【００１１】
【発明の実施の形態】
以下、本発明の実施の形態について図面に従って説明する。
（実施形態１）
図１乃至図３において、１は上面に開口部２を有する有底略円筒状の透明なポリプロピレン製の容器本体で、該容器本体１の上部周縁には、立上り片３が形成されている。
【００１２】
立上り片３の外面側には、突起４が外向きに突設され、該突起４の下方であって前記立上り片３の根元部近辺の外面側には突出部５が外向きに突設されている。また、立上り片３の根元部近辺の内面側には段部６が形成されている。
【００１３】
７は、前記容器本体１に嵌合可能なポリプロピレン製の透明な蓋体で、平面略円形状に形成されている。
【００１４】
蓋体７の上部には、内周立上り片８と、該内周立上り片８に頂部９を介して連設された外周立下り片10とが形成され、該内周立上り片８と外周立下り片10との間には溝部11が形成されている。
【００１５】
そして、溝部11が形成された外周立下り片10の内面側には、前記容器本体１に形成された突起４に係合可能な係合溝12が形成されている。
【００１６】
この係合溝12が形成されることにより薄肉状に形成された外周立下り片10の薄肉部13の下側部分は、シール解除の際に前記薄肉部13を介して分断されることとなる。
【００１７】
そして、その分断する起点となる摘み片14が、前記外周立下り片10の外側面の一部に形成されている。
【００１８】
15は、水切り用中仕切具で、図４及び図５に示すように、多数の小孔16が穿設されている。この水切り用中仕切具15の中央には、平面略半円状で断面円弧状の２条の凹部17,17 が形成され、その凹部17,17 間が把持部18として形成されている。
【００１９】
また、水切り用中仕切具15の周囲には、前記容器本体１の段部６に係止可能な係止片19が外向きに突設されている。
【００２０】
そして、上記のような容器本体１の立上り片３が、蓋体７の溝部11に挿入され、且つその容器本体１の立上り片３に外向きに突設された突起４が、蓋体７の溝部11の内面側に形成された係合溝12に係合されることによって、図３に示すように容器本体１と蓋体７とが嵌合状態となる。また、水切り用中仕切具15の係止片19が、容器本体１の段部６に係止されている。
【００２１】
本実施形態の容器は、このような構成からなるものであるが、蓋体７はシール状態で容器本体１に嵌合されており、シール状態を解除しない限り容器本体１から取り外すことができないため、実際には内容物である雲丹20や浸漬水21が容器本体１内に収容された状態で、水切り用中仕切具15が容器本体１内に設置されて容器本体１と蓋体７とが嵌合状態とされる。
【００２２】
すなわち、図６に示すように、容易本体１内に雲丹20及び浸漬水21が収容された後に、水切り用中仕切具15の係止片19が容器本体１の段部６に係止され、さらに容器本体１の立上り片３が蓋体７の溝部11に挿入されるのである。
【００２３】
浸漬水としては、ナトリウム、カリウム、マグネシウム、カルシウム等の各種塩類を含む人口海水が用いられる。
【００２４】
この場合、蓋体７の外周立下り片10の下端部が、容器本体１の突出部５に係止され、その突出部５と外周立下り片10とが同面状となっている。
【００２５】
従って、容器本体１と蓋体７とはシール状態で嵌合される結果となり、容器が密閉状態となる。この結果、不可抗力によって蓋体７が容器本体１から外れることがない。
【００２６】
一方、蓋体７を容器本体１から取り外す場合には、摘み片14を把持し、図７に示すように周方向に捲るように引き剥がすことにより、外周立上り片10の薄肉部13が分断され、その薄肉部13を介して外周立下り片10の下部が切除されることとなる。
【００２７】
このようにしてシール状態が解除され、図８に示すように蓋体７と容器本体１との嵌合状態を解除しつつ、蓋体７を容器本体１から離脱させることが可能となる。
【００２８】
蓋体７を容器本体１から離脱した後、図９に示すように、容器本体１及び水切り用中仕切具15を反転させる。
【００２９】
これによって、容器本体１内に収容されていた浸漬水21は、同図に示すように水切り用中仕切具15の小孔16を介して下部に流出することとなる。
【００３０】
そして、水が流出し終わると、図10に示すように、雲丹20が水切り用中仕切具15に載置され、結果として水切りがされた状態となる。
【００３１】
このとき、水切り用中仕切具15の凹部17,17 に指を挿入し、その凹部17,17 間の把持部18を把持することによって、水切りのための作業が容易となる。
【００３２】
本実施形態では、雲丹を浸漬水とともに容器に収容し、容易本体１と蓋体７とがシール状態で嵌合されて容器が密閉状態とされているため、浸漬水が不用意に漏洩することがなく、雲丹を浸漬水ごと収容するという斬新な発想に適した容器が得られることとなった。
【００３３】
特に、雲丹を浸漬水に浮かべるような状態で容器内に収容することができ、その雲丹を浸漬水に浮かべた状態を透明な容器本体１によって外部に透視させることができるため、従来の木製の容器とは異なる趣の雲丹専用容器を提供することが可能となった。
【００３４】
しかも、容易本体１と蓋体７との間には、小孔16を有する水切り用中仕切具15が設置されているため、容器の開封後は浸漬水のみを排出し、雲丹のみを水切り用中仕切具15に載置した状態で容器から取り出すことができる。
【００３５】
（実施形態２）
本実施形態では、水切り用中仕切具15の形態が上記実施形態１と相違する。
【００３６】
すなわち、本実施形態においては、図11に示すように、水切り用中仕切具15が容器状すなわち略有底円筒状に形成されている。
【００３７】
そして、水切り用中仕切具15の底面には、多数の小孔16が穿設されている。
【００３８】
この水切り用中仕切具15は、同図に示すように、小孔16が穿設された底面が上側となるように、すなわち容器状のものが逆向きとなるような状態で容器本体１内に設置される。
【００３９】
そして、本実施形態においても、図12に示すように先ず容器本体１内に雲丹20及び浸漬水21が収容され、水切り用中仕切具15が逆向きの状態で且つ雲丹20を覆うように容器本体１に設置され、さらに容器本体１の立上り片３が蓋体７の溝部11に挿入される。
【００４０】
開封する場合には、実施形態１と同様にシール状態が解除され、蓋体７が取り外されて図13に示すように容器本体１及び水切り用中仕切具15が反転される。
【００４１】
これによって、容器本体１内に収容されていた浸漬水21は、同図に示すように水切り用中仕切具15の小孔16を介して下部に流出することとなる。
【００４２】
そして、水が流出し終わると、図14に示すように、雲丹20が水切り用中仕切具15に載置され、結果として水切りがされた状態となる。
【００４３】
この場合、水切り用中仕切具15は反転されることにより容器状の形態となるため、雲丹は水切り後に容器に収容されたと同様の状態で水切り用中仕切具15に設置されることとなる。
【００４４】
従って、雲丹は、水切り用中仕切具15から不用意に離脱することもないのである。
【００４５】
本実施形態においても、雲丹を浸漬水とともに容器に密閉状態で収容することができ、また雲丹を浸漬水に浮かべるような状態で透明な容器本体１の外部に透視させることができ、しかも、容器の開封後に浸漬水のみを排出し、雲丹のみを水切り用中仕切具15に載置した状態で容器から取り出すことができる。
【００４６】
（実施形態３）
本実施形態においても、水切り用中仕切具15の形態が上記実施形態１と相違する。
【００４７】
本実施形態においては、図15に示すように、水切り用中仕切具15が、断面が湾曲した皿形状に形成されている。
【００４８】
そして、水切り用中仕切具15には、多数の小孔16が穿設されている。
【００４９】
この水切り用中仕切具15は、同図に示すように、その中央部分が止め具22によって蓋体７の中央部分に取り付けられている
【００５０】
本実施形態においても、容易本体１内に雲丹20及び浸漬水21が収容された後に、容器本体１の立上り片３が蓋体７の溝部11に挿入されるが、水切り用中仕切具15は止め具22によって蓋体７の下面側に予め取り付けられており、従って蓋体７を容器本体１に嵌合すると、水切り用中仕切具15は容器本体１内に自動的に設置されることとなる。
【００５１】
そして、容器を開封する場合には、実施形態１や実施形態２と同様にシール状態が解除され、蓋体７が取り外されて図16に示すように容器本体１及び水切り用中仕切具15を取り付けた蓋体７が反転される。
【００５２】
これによって、容器本体１内に収容されていた浸漬水21は、同図に示すように水切り用中仕切具15の小孔16を介して下部に流出し、水が流出し終わると、図17に示すように、雲丹20が水切り用中仕切具15に載置され、水切りがされた状態となる。
【００５３】
この場合、水切り用中仕切具15は反転されることにより受皿状の形態となるため、雲丹は水切り後に受皿状の形態の水切り用中仕切具15に設置されることとなる。
【００５４】
本実施形態においても、雲丹を浸漬水とともに容器に密閉状態で収容することができ、また雲丹を浸漬水に浮かべるような状態で透明な容器本体１の外部に透視させることができ、しかも、容器の開封後に浸漬水のみを排出し、雲丹のみを水切り用中仕切具15に載置した状態で容器から取り出すことができる。
【００５５】
（その他の実施形態）
尚、上記実施形態では、容器本体１の上部周縁に立上り片３が形成され、該立上り片３が挿入される溝部11が、蓋体７の内周立上り片８と外周立下り片10間に形成されていたが、容器本体１と蓋体７との嵌合構造は該実施形態に限定されるものではない。
【００５６】
また該実施形態では、容器本体１の立上り片３の外面側に突起４が突設され、該突起４に係合可能な係合溝12が蓋体７の外周立下り片10の内側に形成され、該突起４と係合溝12とを係合させ、さらに立上り片３に突出部５を突設させ、その突出部５に蓋体７の外周立下り片10の下端部を係止させることによって容器がシール密閉状態とされるように構成したが、シール密閉状態にするための構造は該実施形態に限定されるものではなく、これ以外の構造でシール密閉状態にすることも可能である。
【００５７】
また該実施形態では、かかる容器本体１と蓋体７とがシール状態で状態で嵌合されることにより、容器が密閉状態とされ、それによって、浸漬水の漏洩を好適に防止することができるという好ましい効果が得られたが、このようにシール状態で容器本体１と蓋体７とを嵌合することは本発明に必須の条件ではない。
【００５８】
さらに、上記実施形態では容器本体１と蓋体７とが平面略円形状に形成されていたが、容器本体１と蓋体７との形状はこれに限定されるものではなく、たとえば平面略四角形状のものであってもよい。
【００５９】
さらに、上記実施形態では、容器本体１と蓋体７がポリプロピレン製であったため、容器本体１等の透明度が良好となり、雲丹を浸漬水とともに外部から好適に透視させることができるという好ましい効果が得られたが、容器本体１と蓋体７の材質も該実施形態に限定されるものではなく、たとえばポリエチレンやポリエステルで構成することも可能である。
【００６０】
さらに、水切り用中仕切具15は、網状に形成されたようなものであってもよい。すなわち、本発明において、水切り用中仕切具15における小孔16とは、網状に形成された水切り用中仕切具15の編み目のようなものも含む意味である。
【００６１】
【発明の効果】
以上のように、本発明においては、雲丹を浸漬する浸漬水を収容しうる容器本体と、該容器本体に開閉自在に取り付けられる蓋体と、前記浸漬水を水切りすることができ且つ雲丹が抜け出ることのない径の小孔を有する水切り用中仕切具とからなるものであるため、雲丹を浸漬水に浮かべるような状態で容器内に収容し、且つその雲丹を浸漬水に浮かべた状態を透明な容器本体を介して外部から透視しうる状態で店頭等で販売することができ、従来の容器とは全く異なる斬新な商品価値を有する容器を提供することができた。
【００６２】
また、浸漬水に浮かべた状態で雲丹を容器本体内に収容するので、柔らかく破損し易いという特性を有する雲丹を破損させるおそれがなく、従って雲丹の商品価値を損なうおそれがないという利点がある。
【００６３】
また、蓋体を容器本体から取り外し、該容器本体を前記水切り用中仕切具とともに反転させて該水切り用中仕切具を介して浸漬水を排出する際に、浸漬水に浸漬されていた雲丹が前記水切り用中仕切具に載置されるよう構成したものであるため、容器の開封後は容器本体を水切り用中仕切具とともに反転させることで、浸漬水のみを排出し、雲丹のみを水切り用中仕切具に載置した状態で容器から取り出すことができ、雲丹を浸漬水とともに収容する容器でありながら、雲丹のみの取り出しを容易に行うことができるという効果がある。
【００６４】
さらに、水切り用中仕切具が容器状に形成され、開口部分が下向きとなるように容器本体内に設置されている場合には、水切り用中仕切具を容器本体とともに反転させた状態では、開口部分が上向きとなり、従って水切りが好適に行われるるとともに、容器状の水切り用中仕切具の底面に雲丹が載置されることになるので、載置された雲丹は水切り用中仕切具の外側に不用意に離脱することがないという効果がある。
【００６５】
さらに、蓋体が容器本体に密封シール状態で取り付けられている場合には、浸漬水が容器の外部に不用意に漏洩することがないという効果がある。
【図面の簡単な説明】
【図１】一実施形態の雲丹収容用容器の側面図。
【図２】同平面図。
【図３】図２のＡ−Ａ線拡大端面図。
【図４】水切り用中仕切具の平面図、
【図５】図４のＢ−Ｂ線断面図。
【図６】容器内に雲丹及び浸漬水を収容した状態の断面図。
【図７】シール解除時の正面図。
【図８】蓋体を容器本体から取り外す状態の断面図。
【図９】容器から浸漬水を流出させている状態の断面図。
【図１０】雲丹を容器から取り出した状態の断面図。
【図１１】他の実施形態の断面図。
【図１２】他の実施形態の容器内に雲丹及び浸漬水を収容した状態の断面図。
【図１３】容器から浸漬水を流出させている状態の断面図。
【図１４】雲丹を容器から取り出した状態の断面図。
【図１５】他の実施形態の容器内に雲丹及び浸漬水を収容した状態の断面図。
【図１６】容器から浸漬水を流出させている状態の断面図。
【図１７】雲丹を容器から取り出した状態の断面図。
【符号の説明】
１…容器本体            ７…蓋体
15…水切り用中仕切具
【図１】
0003884258.tif 000002
【図２】
0003884258.tif 000003
【図３】
0003884258.tif 000004
【図４】
0003884258.tif 000005
【図５】
0003884258.tif 000006
【図６】
0003884258.tif 000007
【図７】
0003884258.tif 000008
【図８】
0003884258.tif 000009
【図９】
0003884258.tif 000010
【図１０】
0003884258.tif 000011
【図１１】
0003884258.tif 000012
【図１２】
0003884258.tif 000013
【図１３】
0003884258.tif 000014
【図１４】
0003884258.tif 000015
【図１５】
0003884258.tif 000016
【図１６】
0003884258.tif 000017
【図１７】
0003884258.tif 000018